(57)【特許請求の範囲】
【請求項１】
遠位端側小径部と前記遠位端側小径部より外径の大きい近位端側大径部とを有するコアワイヤと、
前記コアワイヤの遠位端側小径部の外周に軸方向に沿って装着され、少なくとも先端部および後端部において、前記コアワイヤに固着されているコイルスプリングとを有する医療用ガイドワイヤであって、
前記コイルスプリングは、コイルピッチがコイル線径の１．０〜１．８倍である先端側密巻部と、コイルピッチがコイル線径の１．８〜２．５倍である後端側疎巻部とからなり、
前記後端側疎巻部の内部に樹脂が充填されているとともに、前記後端側疎巻部の外周に前記樹脂による樹脂層が形成され、前記樹脂層の表面に親水性樹脂被覆層が積層形成され、
前記先端側密巻部の外周は、樹脂により被覆されることなく、前記コイルスプリングの構成材料が露出していることを特徴とする医療用ガイドワイヤ。
【請求項２】
前記先端側密巻部の内部に樹脂が充填されていないことを特徴とする請求項１に記載の医療用ガイドワイヤ。
【請求項３】
前記コアワイヤの近位端側大径部の外径（Ｄ1 ）および前記コイルスプリングのコイル外径（Ｄ2 ）が０．３０５ｍｍ以下、
前記コイルスプリングの長さ（Ｌ2 ）が５１〜８００ｍｍ、
前記先端側密巻部の長さ（Ｌ21）が１〜５０ｍｍ、
前記後端側疎巻部の長さ（Ｌ22）が５０〜７５０ｍｍであることを特徴とする請求項１または請求項２に記載の医療用ガイドワイヤ。
【請求項４】
前記コイルスプリングの先端側密巻部と後端側疎巻部とを含む中間部がはんだによって前記コアワイヤに固着されていることを特徴とする請求項１乃至請求項３の何れかに記載の医療用ガイドワイヤ。
【請求項５】
前記コイルスプリングの先端部および中間部が金含有はんだによって前記コアワイヤに固着されていることを特徴とする請求項４に記載の医療用ガイドワイヤ。
【請求項６】
前記コアワイヤがステンレスからなることを特徴とする請求項１乃至請求項５の何れかに記載の医療用ガイドワイヤ。
【発明の詳細な説明】
【技術分野】
【０００１】
本発明は、コアワイヤの遠位端側小径部の外周に装着されたコイルスプリングを有する医療用ガイドワイヤに関する。
【背景技術】
【０００２】
カテーテルなどの医療器具を血管などの体腔内の所定位置へと案内するためのガイドワイヤには、遠位端部における可撓性・柔軟性が要求される。
このため、コアワイヤの遠位端部の外径を、近位端部の外径よりも小さくするとともに、コアワイヤの遠位端部（遠位端側小径部）の外周にコイルスプリングを装着して、遠位端部の可撓性の向上を企図したガイドワイヤが知られている（特許文献１参照）。
【０００３】
また、コアワイヤの遠位端部に装着されたコイルスプリングの内部に樹脂が充填されているとともに、コイルスプリングの外周に前記樹脂による樹脂層が形成され、この樹脂層の表面に親水性樹脂層が積層形成されているガイドワイヤが紹介されている（特許文献２参照）。コイルスプリングの外周に親水性樹脂層を形成することにより、ガイドワイヤの遠位端部に潤滑性が付与されて、ガイドワイヤの挿入性を向上させることができる。
【先行技術文献】
【特許文献】
【０００４】
【特許文献１】特開２００３−２９９７３９号公報
【特許文献２】特開２０１０−２１４０５４号公報
【発明の概要】
【発明が解決しようとする課題】
【０００５】
ガイドワイヤが挿入されている血管内の情報（例えば、狭窄部や閉塞部などの病変部位の状況）について、オペレータは、ガイドワイヤの遠位端部が接触している血管部位の抵抗（変化）を手元で感じることによって把握している。
【０００６】
然るに、上記特許文献２に記載されたガイドワイヤのように、コイルスプリングの外周に親水性樹脂層が被覆形成されてなるガイドワイヤにおいては、そのような抵抗（変化）を殆ど感じることができないため、情報の把握が困難となる。
また、このようなガイドワイヤは、良好な潤滑性が得られる反面、その遠位端部が滑りやすくなっているために、目的部位へ向けてこれを押し進めることが困難である。
更に、抵抗（変化）を殆ど感じることができないことによって、必要以上に先端荷重を掛けてしまい、血管に損傷を与えるおそれもある。
【０００７】
一方、例えば、ＣＴＯ病変におけるマイクロチャンエル内にガイドワイヤを挿通させる際には、その先端部分を折り曲げて癖づけること（シェイピング）がオペレータによって行われる。
【０００８】
然るに、上記特許文献２に記載されたガイドワイヤのように、コイルスプリングの内部に樹脂が充填されてなるガイドワイヤにおいては、先端部分において充填されている樹脂によってシェイピング操作を行いにくい。
【０００９】
本発明は以上のような事情に基いてなされたものである。
本発明の目的は、遠位端部において良好な潤滑性を有し、ガイドワイヤの挿入性が良好でありながら、血管内の情報を抵抗（変化）として手元側で十分に把握することができ、目的部位に向けて確実に押し進めることができる医療用ガイドワイヤを提供することにある。
本発明の他の目的は、更に、シェイピング操作を容易に行うことができる医療用ガイドワイヤを提供することにある。
【課題を解決するための手段】
【００１０】
（１）本発明の医療用ガイドワイヤは、遠位端側小径部と前記遠位端側小径部より外径の大きい近位端側大径部とを有するコアワイヤと、
前記コアワイヤの遠位端側小径部の外周に軸方向に沿って装着され、少なくとも先端部および後端部において、前記コアワイヤに固着されているコイルスプリングとを有する医療用ガイドワイヤであって、
前記コイルスプリングは、コイルピッチがコイル線径の１．０〜１．８倍である先端側密巻部と、コイルピッチがコイル線径の１．８〜２．５倍である後端側疎巻部とからなり、
前記後端側疎巻部の内部に樹脂が充填されているとともに、前記後端側疎巻部の外周に前記樹脂による樹脂層が形成され、前記樹脂層の表面に親水性樹脂被覆層が積層形成され、
前記先端側密巻部の外周は、樹脂により被覆されることなく、前記コイルスプリングの構成材料（金属）が露出していることを特徴とする。
【００１１】
このような構成の医療用ガイドワイヤによれば、先端側密巻部の外周が樹脂により被覆されることなく、コイルスプリングの構成材料が露出していることにより、ガイドワイヤが挿入されている血管内の情報を抵抗（変化）として手元側で十分に把握することができる（情報伝達性に優れている）。
また、先端側密巻部が接触している血管部位の情報を十分に把握することができるとともに、先端側密巻部が滑りにくいため、血管内の目的部位に向けて本発明の医療用ガイドワイヤを確実に押し進めることができる（ガイドワイヤの方向選択性に優れている）。
【００１２】
また、後端側疎巻部の内部に樹脂が充填されていることにより、コアワイヤとコイルスプリング（後端側疎巻部）とを一体化させることができ、ガイドワイヤのトルク伝達性・操作性を向上させることができる（トルク伝達性に優れている）。
また、後端側疎巻部の外周に樹脂層が形成され、この樹脂層の表面に親水性樹脂被覆層が積層形成されていることにより、後端側疎巻部の内部に充填されているものと同じ樹脂による樹脂層を介して、後端側疎巻部の外周に親水性樹脂被覆層が積層形成されているので、親水性樹脂被覆層が確実に固定され、親水性樹脂による好適な潤滑性を安定的に発現させることができる（後端側疎巻部の外周に対する親水性樹脂被覆層の密着性に優れている）。
【００１３】
（２）本発明の医療用ガイドワイヤにおいて、前記先端側密巻部の内部に樹脂が充填されていないことが好ましい。
このような構成によれば、先端側密巻部における可撓性・柔軟性を十分に確保することができ、コイルスプリング（先端側密巻部）において、シェイピング操作を容易に行うことができる。
【００１４】
（３）本発明の医療用ガイドワイヤにおいて、前記コアワイヤの近位端側大径部の外径（Ｄ1 ）および前記コイルスプリングのコイル外径（Ｄ2 ）が０．３０５ｍｍ（０．０１２インチ）以下、
前記コイルスプリングの長さ（Ｌ2 ）が５１〜８００ｍｍ、
前記先端側密巻部の長さ（Ｌ21）が１〜５０ｍｍ、
前記後端側疎巻部の長さ（Ｌ22）が５０〜７５０ｍｍであることが好ましい。
【００１５】
（４）本発明の医療用ガイドワイヤにおいて、前記コイルスプリングの先端側密巻部と後端側疎巻部とを含む中間部がはんだによって前記コアワイヤに固着されていることが好ましい。
（５）上記（４）の医療用ガイドワイヤにおいて、前記コイルスプリングの先端部および中間部が金含有はんだによって前記コアワイヤに固着されていることが好ましい。
（６）本発明の医療用ガイドワイヤにおいて、前記コアワイヤがステンレスからなることが好ましい。
【発明の効果】
【００１６】
本発明の医療用ガイドワイヤによれば、遠位端部において良好な潤滑性を有し、挿入性が良好でありながら、血管内の情報を抵抗（変化）として手元側で十分に把握することができ、目的部位に向けて確実に押し進めることができる。
また、後端側疎巻部の内部に樹脂が充填されていることにより、トルク伝達性に優れている。
また、内部に樹脂が充填されていない先端側密巻部を備えてなる本発明の医療用ガイドワイヤによれば、更に、シェイピング操作を容易に行うことができる。
【図面の簡単な説明】
【００１７】
【図１】本発明のガイドワイヤの一実施形態を示す一部を破断した側面図である。
【図２】本発明のガイドワイヤの一実施形態を示す一部を破断した側面図（寸法を説明するための図）である。
【発明を実施するための形態】
【００１８】
図１および図２に示すガイドワイヤ１は、遠位端側小径部１１と遠位端側小径部１１より外径の大きい近位端側大径部１４とを有するコアワイヤ１０と、コアワイヤ１０の遠位端側小径部１１の外周に軸方向に沿って装着され、先端部、中間部および後端部において、コアワイヤ１０に固着されているコイルスプリング２０とを有する医療用ガイドワイヤであって、コイルスプリング２０は、コイルピッチがコイル線径の１．０〜１．８倍である先端側密巻部２１と、コイルピッチがコイル線径の１．８〜２．５倍である後端側疎巻部２２とからなり、後端側疎巻部２２の内部に硬化樹脂４０が充填されているとともに、後端側疎巻部２２の外周に当該硬化樹脂による樹脂層４０Ａが形成され、樹脂層４０Ａの表面に親水性樹脂被覆層５０が積層形成され、他方、先端側密巻部２１の外周は、樹脂により被覆されることなく、コイルスプリング２０の構成材料が露出しており、先端側密巻部２１の内部にも樹脂が充填されていないガイドワイヤである。
【００１９】
本実施形態のガイドワイヤ１は、コアワイヤ１０と、コイルスプリング２０とを有する。コアワイヤ１０は、近位方向に拡径するようテーパ加工された遠位端側小径部１１と、近位方向に拡径するテーパ部１３と、近位端側大径部１４とを有する。
遠位端側小径部１１、テーパ部１３および近位端側大径部１４は、同一の線材（例えば、丸棒部材）により一体的に構成されている。
【００２０】
テーパ部１３および近位端側大径部１４の横断面は、略円形である。
遠位端側小径部１１の近位端側における横断面は略円形であるが、遠位端側小径部１１の遠位端側は、線材が圧縮されて板状となっていてもよく、その場合の横断面は略矩形となる。
【００２１】
コアワイヤ１０の材質としては、特に限定されるものではないが、ステンレス（例えばＳＵＳ３１６、ＳＵＳ３０４）、金、白金、アルミニウム、タングステン、タンタルまたはこれらの合金などの金属を挙げることができるが、本実施形態では、ステンレスで構成されている。
また、コアワイヤ１０の外周面には、撥水性樹脂層（図示省略）が形成されている。
撥水性樹脂層を構成する樹脂としては、医療用として用いられる樹脂であって、撥水性を有するものをすべて用いることができ、好適な樹脂としてＰＴＦＥなどのフッ素系樹脂を挙げることができる。
【００２２】
図２に示すガイドワイヤ１の全長（Ｌ1 ）は、例えば１５００〜３０００ｍｍとされ、好適な一例を示せば１７８０ｍｍである。
また、近位端側大径部１４の外径（Ｄ1 ）は、通常０．０１２インチ（０．３０５ｍｍ）以下とされ、好ましくは０．０１０インチ（０．２５４ｍｍ）以下、更に好ましくは０．００６〜０．０１０インチとされ、好適な一例を示せば０．０１０インチである。
【００２３】
近位端側大径部１４の外径（Ｄ1 ）が０．０１２インチ以下であることにより、本発明のガイドワイヤとともに使用するカテーテルなどの医療器具の小型化、延いては、低侵襲化に寄与することができる。
【００２４】
遠位端側小径部１１の最大外径としては、コイルスプリング２０の内径より小さければ特に限定されるものではないが、近位端側大径部１４の外径（Ｄ1 ）の１／５〜３／５程度とされる。
【００２５】
本実施形態のガイドワイヤ１を構成するコイルスプリング２０は、コアワイヤ１０の遠位端側小径部１１の外周に軸方向に沿って装着されている。
コイルスプリング２０は、１本の線材から形成され、コイルピッチがコイル線径の１．０〜１．８倍である先端側密巻部２１と、コイルピッチがコイル線径の１．８〜２．５倍である後端側疎巻部２２とからなり、先端側密巻部２１および後述する先端チップにより、Ｘ線不透過領域が構成されている。
【００２６】
先端側密巻部２１におけるコイルピッチは、コイル線径の１．０〜１．８倍とされ、好適な一例を示せば１．０倍である。
後端側疎巻部２２におけるコイルピッチは、コイル線径の１．８〜２．５倍とされ、好適な一例を示せば２．０倍である。
このように、先端側と後端側とにおいてコイルピッチを変化させることにより、先端側密巻部２１において良好な造影性（視認性）を発現させることができる。
コイルスプリング２０全域にわたり同一のピッチとする場合には、Ｘ線不透過領域が長くなるために視認性の低下を招く。
【００２７】
コイルスプリング２０のコイル外径（Ｄ2 ）は、通常０．０１２インチ（０．３０５ｍｍ）以下とされ、好ましくは０．０１０インチ（０．２５４ｍｍ）以下、更に好ましくは０．００６〜０．０１０インチとされ、好適な一例を示せば０．０１０インチである。
【００２８】
コアワイヤ１０の近位端側大径部１４の外径（Ｄ1 ）が０．０１２インチ以下であるとともに、コイルスプリング２０のコイル外径（Ｄ2 ）も０．０１２インチ以下であることにより、マイクロチャンネルにアクセスする際の操作性（例えば、マイクロチャンネルでの潤滑性）に優れたものとなる。
コイルスプリング２０を構成する線材の外径は、特に限定されないが、好ましくは３０〜９０μｍ、好適な一例を示せば６０μｍである。
【００２９】
コイルスプリング２０の材質としては、白金、白金合金（たとえばＰｔ／Ｗ＝９２／８）、金、金−銅合金、タングステン、タンタルなどのＸ線に対する造影性が良好な材質（Ｘ線不透過物質）を挙げることができる。
【００３０】
本実施形態のガイドワイヤ１は、コイルスプリング２０の先端部、後端部および中間部（先端側密巻部２１と後端側疎巻部２２の境界部分）のそれぞれが、はんだ３１，３２，３３により、コアワイヤ１０の遠位端側小径部１１の外周に固着されている。
【００３１】
図１に示すように、コイルスプリング２０の先端部は、はんだ３１により、コアワイヤ１０に固着されている。すなわち、はんだ３１がコイルスプリング２０の内部に浸透し、このはんだ３１がコアワイヤ１０（遠位端側小径部１１）の外周と接触することにより、コイルスプリング２０の先端部がコアワイヤ１０に固着されている。
また、コイルスプリング２０の先端部においてコイルスプリング２０の内部に浸透しなかったはんだ３１によって略半球状の先端チップが形成されている。これにより、ガイドワイヤの先端部には、はんだ３１による先端硬直部分（コイル内部に浸透したはんだ３１により自由に曲げることができなくなったコイルスプリング２０の先端部分と、このはんだ３１により形成された先端チップとによる硬直部分）が形成される。
【００３２】
また、コイルスプリング２０の先端側密巻部２１と後端側疎巻部２２との境界領域を含む中間部は、はんだ３２により、コアワイヤ１０に固着されている。すなわち、はんだ３２がコイルスプリング２０の内部に浸透し、このはんだ３２がコアワイヤ１０（遠位端側小径部１１）の外周と接触することにより、コイルスプリング２０の中間部がコアワイヤ１０に固着されている。
【００３３】
さらに、コイルスプリング２０の後端部は、はんだ３３により、コアワイヤ１０に固着されている。すなわち、はんだ３３がコイルスプリング２０の内部に浸透し、このはんだ３３がコアワイヤ１０（遠位端側小径部１１）の外周と接触することにより、コイルスプリング２０の後端部がコアワイヤ１０に固着されている。
【００３４】
コイルスプリング２０の先端部および中間部を、それぞれコアワイヤ１０に固着させるためのはんだ３１，３２としては、金含有はんだを用いることが好ましい。
はんだ３１．３２として金含有はんだを使用することにより、コアワイヤ１０に対するコイルスプリング２０の固着強度を十分に高い（コアワイヤ１０の遠位端側小径部１１の破断強度より高い）ものとすることができ、コイルスプリング２０に挿入されている状態のコアワイヤ１０に引張力を作用させても、コアワイヤ１０が引き抜かれるようなことはない。ここに、「金含有はんだ」には、Ａｕ−Ｓｎ系はんだ、Ａｕ−Ｇｅ系はんだ、Ａｕ−Ｓｉ系はんだ、Ａｕ−Ｉｎ系はんだ、Ａｕ−Ｓｂ系はんだなどのＡｕ合金はんだおよびＡｕはんだが含まれる。
一方、コイルスプリング２０の後端部をコアワイヤ１０に固着させるためのはんだ３３としては、Ａｇ−Ｓｎ系など銀系はんだを例示することができる。
【００３５】
図１に示すように、本実施形態のガイドワイヤ１においては、コイルスプリング２０の後端側疎巻部２２の内部に硬化樹脂４０が充填されているとともに、後端側疎巻部２２の外周に、この硬化樹脂４０による樹脂層４０Ａ（コイル線材を被覆する硬化樹脂の層）が形成され、この樹脂層４０Ａの表面に、親水性樹脂被覆層５０が積層形成されている。
【００３６】
コイルスプリング２０の大部分を占める後端側疎巻部２２の内部に硬化樹脂４０が充填されていることにより、コアワイヤ１０とコイルスプリング２０とが一体化され、ガイドワイヤのトルク伝達性が格段に向上し、コアワイヤ１０の近位端側大径部１４から伝達される回転トルクが、遠位端側小径部１１と一体化されたコイルスプリング２０の遠位端まで確実に伝達される。
【００３７】
また、コイルスプリング２０の大部分を占める後端側疎巻部２２の外周に樹脂層４０Ａが形成され、この樹脂層４０Ａの表面に、親水性樹脂被覆層５０が積層形成されている（後端側疎巻部２２の外周に、樹脂層４０Ａを介して、親水性樹脂被覆層５０が形成されている）ので、親水性樹脂被覆層５０はコイルスプリング２０に対して強固に固定され、これにより、親水性樹脂による好適な潤滑性を安定的に発現させることができる。
【００３８】
ここに、後端側疎巻部２２の内部に充填されるとともに、樹脂層４０Ａを構成する硬化樹脂４０としては、コイルスプリング２０および親水性樹脂の両方に対して良好な接着性を有するものが好ましく、具体的には、ウレタンアクリレート樹脂、ポリウレタン樹脂、シリコーン樹脂、エポキシ樹脂、アクリル樹脂、ナイロン樹脂などの光硬化性樹脂または熱硬化性樹脂の硬化物などを例示することができる。
後端側疎巻部２２の外周を被覆する樹脂層４０Ａの膜厚としては、例えば１〜１００μｍとされ、好ましくは３〜１０μｍとされる。
【００３９】
樹脂層４０Ａの表面に積層形成される親水性樹脂被覆層５０を構成する親水性樹脂としては、医療用具の親水性処理に供されている従来公知の親水性ポリマーをすべて使用することができる。具体的にはポリエチレングリコール、ポリエチレンオキサイド、ポリオール、ポリアクリルアミド、ポリビニルピロリドン、ポリビニルアルコール、ポリエーテル、ポリウレタン、ポリカルボン酸およびこれらの誘導体、セルロース、たんぱく質、ヒアルロン酸などの多糖類を例示することができる。また、これらの親水性ポリマーは架橋構造を有していてもよい。
親水性樹脂層５０の膜厚としては、例えば１〜３０μｍとされ、好ましくは３〜１９μｍとされる。
【００４０】
硬化樹脂４０の充填および樹脂層４０Ａの形成方法、並びに親水性樹脂５０の積層形成方法としては特に限定されるものではないが、例えば、コアワイヤ１０に装着したコイルスプリング２０の後端側疎巻部２２を、硬化性樹脂に浸漬することにより、後端側疎巻部２２の内部に硬化性樹脂を充填するとともに、後端側疎巻部２２の表面に樹脂層を形成し、これを熱硬化または光硬化させることにより硬化樹脂４０（樹脂層４０Ａ）とし、次いで、樹脂層４０Ａの表面に、適宜の手段により親水性樹脂を塗布する方法を挙げることができる。
ここに、後端側疎巻部２２とともに先端側密巻部２１を硬化性樹脂に浸漬する場合には、先端側密巻部２１の外周をマスキングするなどして、先端側密巻部２１の内部や外周への硬化性樹脂の流入・付着を防止することが好ましい。
【００４１】
図１に示すように、本実施形態のガイドワイヤ１においては、コイルスプリング２０の先端側密巻部２１の外周は樹脂により被覆されることなく、コイルスプリング２０の構成材料（Ｘ線不透過物質などの金属）が露出している。
これにより、本実施形態のガイドワイヤ１が挿入されている血管内の情報（例えば、狭窄部や閉塞部などの病変部位の状況）を抵抗（変化）として手元側で十分に把握することができる。
また、先端側密巻部２１が接触している血管部位の情報を十分に把握することができるとともに、親水性樹脂により被覆されていない先端側密巻部２１は滑りにくいため、血管内の目的部位に向けて本実施形態のガイドワイヤ１を確実に押し進めることができる。
【００４２】
また、本実施形態のガイドワイヤ１において、先端側密巻部２１の内部には樹脂が充填されていない。これにより、先端側密巻部２１における可撓性・柔軟性を十分に確保することができ、先端側密巻部２１において、シェイピング操作を容易に行うことができる。  なお、先端側密巻部２１の内部には樹脂が充填されていなくても、後端側疎巻部２２の内部に硬化樹脂４０が充填されていることにより、ガイドワイヤ１のトルク伝達性は十分に確保される。
【００４３】
図２に示すコイルスプリング２０の長さ（Ｌ2 ）は５１〜８００ｍｍであることが好ましく、更に好ましくは８５〜３１０ｍｍ、好適な一例を示せば１１５ｍｍである。
先端側密巻部２１の長さ（Ｌ21）は１〜５０ｍｍであることが好ましく、更に好ましくは２０〜４０ｍｍ、好適な一例を示せば３０ｍｍである。
後端側疎巻部２２の長さ（Ｌ22）は５０〜７５０ｍｍであることが好ましく、更に好ましくは６５〜２７０ｍｍ好適な一例を示せば８５ｍｍである。
【００４４】
樹脂被覆されていない先端側密巻部２１の長さ（Ｌ21）が過小である場合には、ガイドワイヤが挿入されている血管内の情報を十分に把握することができず、また、ガイドワイヤの遠位端部が滑りやすくなり、そのようなガイドワイヤを目的部位へ向けてこれを押し進めることは困難となる。
一方、先端側密巻部２１の長さ（Ｌ21）が過大である場合には、ガイドワイヤの遠位端部における潤滑性が不足して、例えば、狭窄部位を通過させることが困難となるなど、ガイドワイヤの挿入性が損なわれる。
【００４５】
また、後端側疎巻部２２の長さ（Ｌ22）が過小である場合には、ガイドワイヤの遠位端部の潤滑性が不足してガイドワイヤの挿入性が損なわれる。また、ガイドワイヤのトルク伝達性が損なわれることがある。
一方、後端側疎巻部２２の長さ（Ｌ22）が過大であることにより、先端側密巻部２１の長さ（Ｌ21）が相対的に過小になる場合には、ガイドワイヤが挿入されている血管内の情報を十分に把握することができず、また、ガイドワイヤを目的部位へ向けてこれを押し進めることは困難となる。
【００４６】
はんだ３１により形成される略半球状の先端チップの長さ（Ｌ3 ）は、例えば０．１〜５．０ｍｍとされ、好適な一例を示せば０．３ｍｍである。
【００４７】
以上説明したように、本実施形態のガイドワイヤ１によれば、コイルスプリング２０（後端側疎巻部２２）が装着されている遠位端部において良好な潤滑性を有し、血管内への挿入性が良好でありながら、先端側密巻部２１の外周が樹脂で被覆されることなくコイルスプリング２０の構成材料（金属）が露出していることにより、血管内の情報を抵抗（変化）として手元側で十分に把握することができ、しかも、目的部位に向けて確実に押し進めることができる。
また、後端側疎巻部２２の内部に硬化樹脂４０が充填されていることにより、トルク伝達性に優れている。
また、先端側密巻部２１の内部には樹脂が充填されていないので、シェイピング操作を容易に行うことができる。
【符号の説明】
【００４８】
１０  コアワイヤ
１１  遠位端側小径部
１３  テーパ部
１４  近位端側大径部
２０  コイルスプリング
２１  先端側密巻部
２２  後端側疎巻部
３１  はんだ
３２  はんだ
３３  はんだ
４０  硬化樹脂
４０Ａ  樹脂層
５０  親水性樹脂層
【図１】
0005404840.tif 000002
【図２】
0005404840.tif 000003